(57)【要約】      （修正有）【課題】異なる種類の電源盤の誤挿入を確実に防止する。【解決手段】表面板、基板およびコネクタを設けた複数種類の電源盤３０と、並列冗長運転のために同系統の電源盤３０を並列に装着する開口を有する表面板６１と電源盤３０のコネクタと噛合するコネクタとを設けたシェルフ６０とを備え、電源盤３０の表面板は、一側部に立ち上がり片３４を有する突片３３を設けるとともに他側部に突片３３と同軸状に突片３３と挿入可能な切り欠き部３５を設けた第一位置決め部３０Ａと、一側部に切り欠き部３６を設けるとともに他側部に切り欠き部３６と同軸状に立ち上がり片３８を有する切り欠き部３６に挿入可能な突片３７を設けた第二位置決め部３０Ｂとを、電源盤３０の種類毎に異なる位置に設け、シェルフ６０の表面板６１は、電源盤３０の種類に応じて、第一位置決め部３０Ａの切り欠き部３５と第二位置決め部３０Ｂの切り欠き部３６とに嵌合する突起を設ける。【選択図】図１
2006059909.tif 000002
【特許請求の範囲】
【請求項１】
表面板、基板およびコネクタを設けた複数種類の電源盤と、
並列冗長運転のために同系統の前記電源盤を並列に装着する開口を有する表面板と前記電源盤のコネクタと噛合するコネクタとを設けたシェルフと
を備え、
前記電源盤の表面板は、一側部に立ち上がり部を有する突片を設けるとともに他側部に前記突片と同軸状に前記突片と挿入可能な切り欠き部を設けた第一位置決め部と、一側部に切り欠き部を設けるとともに他側部に前記切り欠き部と同軸状に立ち上がり部を有する前記切り欠き部に挿入可能な突片を設けた第二位置決め部とを、前記電源盤の種類毎に異なる位置に設け、
前記シェルフの表面板は、前記電源盤の種類に応じて、前記第一位置決め部の切り欠き部と前記第二位置決め部の切り欠き部とに嵌合する突起を設け、
前記電源盤と前記シェルフとは、前記シェルフへの前記電源盤の装着時に、前記シェルフの表面板と前記電源盤の表面板とをネジ止めして固定される
ことを特徴とする電源装置。
【請求項２】
請求項１記載の電源装置において、前記並列に装着される電源盤は、前記表面板の大きさが相互に異なることを特徴とする電源装置。
【請求項３】
請求項１記載の電源装置において、前記第一位置決め部と前記第二位置決め部とに設けた立ち上がり部は、ブロックまたは曲げ加工または絞り加工によって形成されていることを特徴とする電源装置。
【請求項４】
請求項１記載の電源装置において、前記第一位置決め部と前記第二位置決め部とに設けた立ち上がり部の高さは、前記電源盤のコネクタと前記シェルフのコネクタとの噛合深さより大きいことを特徴とする電源装置。
【請求項５】
請求項１記載の電源装置において、前記シェルフの表面板は、前記電源盤の切り欠き部の位置に応じて前記突起の取付位置が表示されていることを特徴とする電源装置。
【請求項６】
請求項１または請求項５記載の電源装置において、前記シェルフの表面板は、前記開口の側壁部を前記シェルフ側に折り曲げるとともに、前記側壁部に長穴を設け、前記長穴に前記立ち上がり部の高さと同等の高さを有する立ち上がり部を備えた板状の突片をネジ止めして成ることを特徴とする電源装置。
【請求項７】
請求項１または請求項５記載の電源装置において、前記突起は、前記シェルフの表面板にネジ止めされるブロックであることを特徴とする電源装置。
【発明の詳細な説明】
【技術分野】
【０００１】
本発明は、電源盤のシェルフ（サブラックも含む）への誤挿入を防止する機構を備えた電源装置に関する。
【背景技術】
【０００２】
無停電電源装置の負荷に対する給電の信頼性を増すために、無停電電源装置の並列冗長運転が一般に行われている。
また、電源盤に応じてシェルフを用意するのではなく、１つのシェルフに異なる種類の電源盤を挿入することができるようになっている。
その際、電源盤およびシェルフにおいて、誤実装を防止するために、実装確認、認識を必要とする（例えば、特許文献１参照）。
【０００３】
図２１は、シェルフ１側（受け側）にて入力電圧に合わせて誤挿入防止ピン３の位置を区別する誤挿入防止機構８を示す。図２１（ａ）は、ＡＣ系を示し、図２１（ｂ）は、ＤＣ系を示す。
シェルフ１側のマザーボード２に誤挿入防止ピン３、コネクタ４を取り付け、電源盤５に穴あき板６を取り付け、誤挿入防止ピン３が穴あき板６の穴に差し込まれたときに、電源盤５の挿入を許容し、コネクタ７をコネクタ４に嵌入して接続する。誤挿入防止ピン３が穴あき板６の穴に差し込まれないときに、電源盤５の誤挿入を防止するようになっている。
【０００４】
従って、ＡＣ系のシェルフ１にＤＣ系の電源盤５を挿入することができない。また、ＤＣ系のシェルフ１にＡＣ系の電源盤５を挿入することができない。
図２２は、ＤＣ系の電源盤１２側（挿入側）にて同じく、入力電圧に合わせて示すように、マザーボード１０側のコネクタ１１の位置を区別し分離する誤挿入防止機構１４を示す。図２２（ａ）は、ＡＣ系を示し、図２２（ｂ）は、ＤＣ系を示す。
【０００５】
ＡＣ系のコネクタ１１，１３の位置と、ＤＣ系のコネクタ１１，１３の位置を異ならせている。
従って、ＡＣ系のシェルフ９にＤＣ系の電源盤１２を挿入することができない。また、ＤＣ系のシェルフ９にＡＣ系の電源盤１２を挿入することができない。
【特許文献１】実開平５−４５６５号公報
【発明の開示】
【発明が解決しようとする課題】
【０００６】
しかし、図２１に示す誤挿入防止機構８では、シェルフ１側（受け側）に取り付ける誤挿入防止ピン３の位置、電源盤５側（挿入側）に取り付ける穴あき板６の位置をそれぞれ異ならせて用意しなければならない。
また、図２２に示す誤挿入防止機構１４では、シェルフ９側（受け側）、電源盤１２側（挿入側）のコネクタ１１，１３の位置をそれぞれ異ならせて用意しなければならない。
【０００７】
本発明は斯かる従来の問題点を解決するために為されたもので、その目的は、異なる種類の電源盤の誤挿入を確実に防止することが可能な電源装置を提供することにある。
【課題を解決するための手段】
【０００８】
請求項１に係る発明は、表面板、基板およびコネクタを設けた複数種類の電源盤と、並列冗長運転のために同系統の前記電源盤を並列に装着する開口を有する表面板と前記電源盤のコネクタと噛合するコネクタとを設けたシェルフとを備え、前記電源盤の表面板は、一側部に立ち上がり片を有する突片を設けるとともに他側部に前記突片と同軸状に前記突片と挿入可能な切り欠き部を設けた第一位置決め部と、一側部に切り欠き部を設けるとともに他側部に前記切り欠き部と同軸状に立ち上がり片を有する前記切り欠き部に挿入可能な突片を設けた第二位置決め部とを、前記電源盤の種類毎に異なる位置に設け、前記シェルフの表面板は、前記電源盤の種類に応じて、前記第一位置決め部の切り欠き部と前記第二位置決め部の切り欠き部とに嵌合する突起を設け、前記電源盤と前記シェルフとは、前記シェルフへの前記電源盤の装着時に、前記シェルフの表面板と前記電源盤の表面板とをネジ止めして固定されることを特徴とする。
【０００９】
請求項２に係る発明は、請求項１記載の電源装置において、前記並列に装着される電源盤は、前記表面板の大きさが相互に異なることを特徴とする。
請求項３に係る発明は、請求項１記載の電源装置において、前記第一位置決め部と前記第二位置決め部とに設けた立ち上がり部は、ブロックまたは曲げ加工または絞り加工によって形成されていることを特徴とする。
【００１０】
請求項４に係る発明は、請求項１記載の電源装置において、前記第一位置決め部と前記第二位置決め部とに設けた立ち上がり部の高さは、前記電源盤のコネクタと前記シェルフのコネクタとの噛合深さより大きいことを特徴とする。
請求項５に係る発明は、請求項１記載の電源装置において、前記シェルフの表面板は、前記電源盤の切り欠き部の位置に応じて前記突起の取付位置が表示されていることを特徴とする。
【００１１】
請求項６に係る発明は、請求項１または請求項５記載の電源装置において、前記シェルフの表面板は、前記開口の側壁部を前記シェルフ側に折り曲げるとともに、前記側壁部に長穴を設け、前記長穴に前記立ち上がり部の高さと同等の高さを有する立ち上がり部を備えた板状の突片をネジ止めして成ることを特徴とする。
請求項７に係る発明は、請求項１または請求項５記載の電源装置において、前記突起は、前記シェルフの表面板にネジ止めされるブロックであることを特徴とする。
【発明の効果】
【００１２】
本発明によれば、同じ入力同士での並列冗長運転を可能とし、異なる入力の場合には並列冗長運転が不可能となり、装置の保護が行える。
また、シェルフ構造および電源盤構造、基板外形寸法などの共通化が計れるため、大量生産が可能となり、安価な製品が作れる。
【発明を実施するための最良の形態】
【００１３】
以下、本発明を図面に示す実施形態に基づいて説明する。
図１〜図１２は、本発明の第一実施形態に係る電源装置を示す（請求項１，３，４，５，６に対応する）。
本実施形態では、ＤＣ系の電源盤３０，ＡＣ系の電源盤４０，ＦＦＴＵ（Fuse Filter Terminal Unit)系の電源盤５０の何れかを１つのシェルフ６０に並列冗長運転できるように構成した場合について説明する。なお、ＤＣ系の電源盤３０，ＡＣ系の電源盤４０，ＦＦＴＵ系の電源盤５０は、図１２に示すように、何れも同じ位置にコネクタ３２，４２，５２を取り付けており、シェルフ６０のコネクタ６４と噛合するようになっている。
【００１４】
図１、図２は、２つのＤＣ系の電源盤３０，３０を１つのシェルフ６０の表面板６１の開口部６２を介して装着した状態を示す。
２つのＤＣ系の電源盤３０，３０は、従来のＤＣ系の電源盤と同様に、表面板３１と、図示しない基板と、コネクタ３２とを有する。表面板３１は、横長形状を為す板金製の部材であり、ＤＣ系の電源盤として必要な機器や表示が設けられている。また、表面板３１は、上辺部３０ｃの直下に第一位置決め部３０Ａを設けるとともに、下辺部３０ｄのネジ部３０ｆより上部に第二位置決め部３０Ｂを設けている。
【００１５】
第一位置決め部３０Ａは、一側部３０ａに立ち上がり片３４を有する突片３３を設けるとともに他側部３０ｂに突片３３と同軸状に突片３３を挿入可能な切り欠き部３５を設けている。突片３３は上辺部３０ｃのネジ部３０ｅの側部側から突出している。ここで、立ち上がり片３４は、表面板３１を構成する板金製の部位の端部を直角曲げして形成されている。そしてその高さｈは、図１２に示すように、コネクタ３２とコネクタ６４との噛合深さより大きくしてある。
【００１６】
第二位置決め部３０Ｂは、一側部３０ａに切り欠き部３６を設けるとともに他側部３０ｂに切り欠き部３６と同軸状に立ち上がり片３８を有する切り欠き部３６に挿入可能な突片３７を設けている。突片３３は下辺部のネジ部３０ｄより上部の他側部３０ｂから突出している。ここで、立ち上がり片３８は、表面板３１を構成する板金製の部位の端部を直角曲げして形成されている。そしてその高さｈは、立ち上がり片３４と同じ高さｈにしてある。
【００１７】
図３、図４は、２つのＡＣ系の電源盤４０，４０を１つのシェルフ６０の表面板６１の開口部６２を介して装着した状態を示す。
２つのＡＣ系の電源盤４０，４０は、従来のＡＣ系の電源盤と同様に、表面板４１と、図示しない基板と、コネクタ４２とを有する。表面板４１は、横長形状を為す板金製の部材であり、ＡＣ系の電源盤として必要な機器や表示が設けられている。また、表面板４１は、上辺部４０ｃと下辺部４０ｄとの中間位置に第一位置決め部４０Ａを設けるとともに、下辺部４０ｄのネジ部４０ｆより上部に第二位置決め部４０Ｂを設けている。
【００１８】
第一位置決め部４０Ａは、一側部４０ａに立ち上がり片４４を有する突片４３を設けるとともに他側部４０ｂに突片４３と同軸状に突片４３を挿入可能な切り欠き部４５を設けている。突片４３は一側部４０ａの中心部側から突出している。ここで、立ち上がり片４４は、表面板４１を構成する板金製の部位の端部を直角曲げして形成されている。そしてその高さｈは、図１２に示すように、コネクタ４２とコネクタ６４との噛合深さより大きくしてある。
【００１９】
第二位置決め部４０Ｂは、一側部４０ａに切り欠き部４６を設けるとともに他側部４０ｂに切り欠き部４６と同軸状に立ち上がり片４８を有する切り欠き部４６に挿入可能な突片４７を設けている。突片４３は下辺部のネジ部４０ｄより上部の他側部４０ｂから突出している。なお、突片４３の位置は、ＤＣ系の突片３３よりわずか上部に設けてある。ここで、立ち上がり片４８は、表面板４１を構成する板金製の部位の端部を直角曲げして形成されている。そしてその高さｈは、立ち上がり片４４と同じ高さｈにしてある。
【００２０】
図５、図６は、２つのＦＦＴＵ系の電源盤５０，５０を１つのシェルフ６０の表面板６１の開口部６２を介して装着した状態を示す。
２つのＦＦＴＵ系の電源盤５０，５０は、従来のＦＦＴＵ系の電源盤と同様に、表面板５１と、図示しない基板と、コネクタ５２とを有する。表面板５１は、横長形状を為す板金製の部材であり、ＦＦＴＵ系の電源盤として必要な機器や表示が設けられている。また、表面板５１は、上辺部５０ｃ側のネジ部５０ｅの直下に第一位置決め部５０Ａを設けるとともに、下辺部５０ｄのネジ部５０ｆより上部に第二位置決め部５０Ｂを設けている。
【００２１】
第一位置決め部５０Ａは、一側部５０ａに立ち上がり片５４を有する突片５３を設けるとともに他側部５０ｂに突片５３と同軸状に突片５３を挿入可能な切り欠き部５５を設けている。突片５３は一側部５０ａの中心部より上部側から突出している。ここで、立ち上がり片５４は、表面板５１を構成する板金製の部位の端部を直角曲げして形成されている。そしてその高さｈは、図１２に示すように、コネクタ５２とコネクタ６４との噛合深さより大きくしてある。
【００２２】
第二位置決め部５０Ｂは、一側部５０ａに切り欠き部５６を設けるとともに他側部５０ｂに切り欠き部５６と同軸状に立ち上がり片５８を有する切り欠き部５６に挿入可能な突片５７を設けている。突片５３は下辺部のネジ部５０ｄより上部の他側部５０ｂから突出している。なお、突片５３の位置は、ＤＣ系の突片３３よりわずか下部に設けてある。ここで、立ち上がり片５８は、表面板５１を構成する板金製の部位の端部を直角曲げして形成されている。そしてその高さｈは、立ち上がり片５４と同じ高さｈにしてある。
【００２３】
シェルフ６０は、箱形形状を為し、図７、図１１に示すように、２つのＤＣ系の電源盤３０，３０または２つのＡＣ系の電源盤４０または２つのＦＦＴＵ系の電源盤５０の何れかを装着する開口部６２を有する表面板６１を取り付け、マザーボード６０ａにコネクタ６４を固定している。
開口部６２は、対向する２つの側壁部６３，６４をシェルフ６０側に折り曲げるとともに、側壁部６３，６４に長穴６３ａ，６４ａを設け、長穴６３ａ，６４ａに立ち上がり片３４，３８の高さと同等の高さを有する立ち上がり部６５ａ，６６ａを備えた板状の突片６５，６６をネジ６５ｂ，６６ｂによって係止するようになっている。突片６５，６６は、図７（ｃ）（ｄ）に示すように、穴６５ｃ，６６ｃを有する板状体を折り曲げ、斜めに突出する立ち上がり部６５ａ，６６ａを形成している。従って、突片６５，６６は、図７（ａ）に示すように、表面板６１のシェルフ６０側においてネジ６５ｂ，６６ｂによって固定されている。また、開口部６２の縁部には、ＤＣ系の電源盤３０，ＡＣ系の電源盤４０，ＦＦＴＵ系の電源盤５０に対する第一位置決め部３０Ａ，４０Ａ，５０Ａと第二位置決め部３０Ｂ，４０ｂ，５０ｂの切り欠き部３５，３６，４５，４６，５５，５６の位置に応じた突起の取付位置が表示されている。また、開口部６２の縁部には、ネジ３０ｅ，３０ｆを取り付けるためのネジ穴６７，６８が設けられている。
【００２４】
次に、斯くして構成された本実施形態に係る電源装置の作用を説明する。
先ず、２つのＤＣ系の電源盤３０，３０をシェルフ６０に装着する場合について説明する。
図７（ａ），図７（ｂ）に示すように、シェルフ６０の表面板６１に設けたＤＣ系の表示位置に、突片６５，６６の穴６５ｃ，６６ｃの部位を側壁部６３，６４を挟んで配し、ネジ６５ｂ，６６ｂにて穴６５ｃ，６６ｃを介して長穴６３ａ，６４ａに固定する。その結果、２つのＤＣ系の電源盤３０，３０をシェルフ６０に装着する際に、突片６５，６６は、第一位置決め部３０Ａの切り欠き部３５と第二位置決め部３０Ｂの切り欠き部３６とに嵌合する突起となる。
【００２５】
次に、１つのＤＣ系の電源盤３０をシェルフ６０の開口部６２の一側側（図面の左側）に差し込む。この際、一側部の切り欠き部３６に突片６５の立ち上がり部６５ａが嵌り込むようにして１つのＤＣ系の電源盤３０の挿入を許容する。そして、従来のＤＣ系の電源盤と同様に（図１１の左側の結合と同様）、コネクタ３２がシェルフ６０のコネクタ６４と噛合し両者が結合する。
【００２６】
次に、残りのＤＣ系の電源盤３０をシェルフ６０の開口部６２の他側側（図面の右側）に差し込む。この際、一側部の切り欠き部３５に突片６６の立ち上がり部６６ａが嵌り込むようにして残りのＤＣ系の電源盤３０の挿入を許容する。そして、従来のＤＣ系の電源盤と同様に、コネクタ３２がシェルフ６０のコネクタ６４と噛合し両者が結合する。
以上によって、２つのＤＣ系の電源盤３０，３０は、図１，図２，図７，図８に示すように、シェルフ６０の正規の位置に取り付けられる。
【００２７】
次に、例えば、図１の右側のＤＣ系の電源盤３０が故障し、取り替えを行う場合について説明する。
シェルフ６０が３種類共通となっているため、この電源装置には、ＤＣ系の電源盤３０、ＡＣ系の電源盤４０およびＦＦＴＵ系の電源盤５０の何れもが取り付けれる。
しかし、ＤＣ系の電源盤３０にＡＣ系の電源盤４０またはＦＦＴＵ系の電源盤５０を取り付けると、電源装置が故障する。
【００２８】
ところが、本実施形態においては、この電源装置には、突片６５，６６が、第一位置決め部３０Ａの切り欠き部３５と第二位置決め部３０Ｂの切り欠き部３６とに嵌合するように配置されているので、ＤＣ系の電源盤３０しか取り付けることができない。
従って、残りのＡＣ系の電源盤４０またはＦＦＴＵ系の電源盤５０を誤って装着しようとしても、図１１、図１２に示すように、ＤＣ系の電源盤３０の立ち上がり部３８が、ＡＣ系の電源盤４０の表面板４１またはＦＦＴＵ系の電源盤５０の表面板５１にぶつかり、挿入を阻止することができる。この際、立ち上がり部３８の高さｈは、コネクタ３２，４２，５２とコネクタ６４との噛合深さよりも大きくしてあるので、コネクタ同士が結合することがない。また、シェルフ６０の表面板６１に設けた突片６６も同様に、その高さが立ち上がり部３８の高さｈと同じにしてあるので、ＤＣ系の電源盤３０の立ち上がり部３８が、ＡＣ系の電源盤４０の表面板４１またはＦＦＴＵ系の電源盤５０の表面板５１にぶつかり、挿入を阻止する。
【００２９】
勿論、図１の右側のＤＣ系の電源盤３０の取り替えにおいても、同様にして確実に誤挿入を阻止することができる。
ところで、突片６５，６５が無い場合には、例えば、図１の右側のＤＣ系の電源盤３０だけの挿入は可能である。
従って、本実施形態においては、工場出荷時または再構築時において、ＤＣ系の電源盤３０以外の誤挿入を確実に防止するために、ＤＣ系の電源盤３０の表面板３１の形状をＡＣ系の電源盤４０の表面板４１およびＦＦＴＵ系の電源盤５０表面板５１の形状と異ならせるだけではなく、ＤＣ系の電源盤３０、ＡＣ系の電源盤４０およびＦＦＴＵ系の電源盤５０の取付位置を規制するシェルフ６０の突片６５，６６を、ＤＣ系用の第一位置決め部３０Ａの切り欠き部３５と第二位置決め部３０Ｂの切り欠き部３６とに嵌合するように配置したので、ＤＣ系の電源盤３０しか取り付けることができない。
【００３０】
次に、２つのＡＣ系の電源盤４０，４０をシェルフ６０に装着する場合について説明する。
図９に示すように、シェルフ６０の表面板６１に設けたＡＣ系の表示位置に、突片６５，６６の穴６５ｃ，６６ｃの部位を側壁部６３，６４を挟んで配し、ネジ６５ｂ，６６ｂにて穴６５ｃ，６６ｃを介して長穴６３ａ，６４ａに固定する。その結果、２つのＡＣ系の電源盤４０，４０をシェルフ６０に装着する際に、突片６５，６６は、第一位置決め部４０Ａの切り欠き部４５と第二位置決め部４０Ｂの切り欠き部４６とに嵌合する突起となる。
【００３１】
次に、１つのＡＣ系の電源盤４０をシェルフ６０の開口部６２の一側側（図面の左側）に差し込む。この際、一側部の切り欠き部４６に突片６５の立ち上がり部６５ａが嵌り込むようにして１つのＡＣ系の電源盤４０の挿入を許容する。そして、従来のＡＣ系の電源盤と同様に、コネクタ４２がシェルフ６０のコネクタ６４と噛合し両者が結合する。
次に、残りのＡＣ系の電源盤４０をシェルフ６０の開口部６２の他側側（図面の右側）に差し込む。この際、一側部の切り欠き部４５に突片６６の立ち上がり部６６ａが嵌り込むようにして残りのＡＣ系の電源盤４０の挿入を許容する。そして、従来のＡＣ系の電源盤と同様に、コネクタ４２がシェルフ６０のコネクタ６４と噛合し両者が結合する。
【００３２】
以上によって、２つのＡＣ系の電源盤４０，４０は、図３，図４，図７，図８に示すように、シェルフ６０の正規の位置に取り付けられる。
ＡＣ系の電源盤４０においても、ＤＣ系の電源盤３０と同様に、取り替え時における誤挿入を確実に防止することができる。
次に、２つのＦＦＴＵ系の電源盤５０，５０をシェルフ６０に装着する場合について説明する。
【００３３】
図１０に示すように、シェルフ６０の表面板６１に設けたＦＦＴＵ系の表示位置に、突片６５，６６の穴６５ｃ，６６ｃの部位を側壁部６３，６４を挟んで配し、ネジ６５ｂ，６６ｂにて穴６５ｃ，６６ｃを介して長穴６３ａ，６４ａに固定する。その結果、２つのＦＦＴＵ系の電源盤５０，５０をシェルフ６０に装着する際に、突片６５，６６は、第一位置決め部５０Ａの切り欠き部５５と第二位置決め部５０Ｂの切り欠き部５６とに嵌合する突起となる。
【００３４】
次に、１つのＦＦＴＵ系の電源盤５０をシェルフ６０の開口部６２の一側側（図面の左側）に差し込む。この際、一側部の切り欠き部５６に突片６５の立ち上がり部６５ａが嵌り込むようにして１つのＦＦＴＵ系の電源盤５０の挿入を許容する。そして、従来のＦＦＴＵ系の電源盤と同様に、コネクタ５２がシェルフ６０のコネクタ６４と噛合し両者が結合する。
【００３５】
次に、残りのＦＦＴＵ系の電源盤５０をシェルフ６０の開口部６２の他側側（図面の右側）に差し込む。この際、一側部の切り欠き部５５に突片６６の立ち上がり部６６ａが嵌り込むようにして残りのＦＦＴＵ系の電源盤５０の挿入を許容する。そして、従来のＦＦＴＵ系の電源盤と同様に、コネクタ５２がシェルフ６０のコネクタ６４と噛合し両者が結合する。
【００３６】
以上によって、２つのＦＦＴＵ系の電源盤５０，５０は、図５，図６，図７，図８に示すように、シェルフ６０の正規の位置に取り付けられる。
ＦＦＴＵ系の電源盤５０においても、ＤＣ系の電源盤３０と同様に、取り替え時における誤挿入を確実に防止することができる。
なお、上記では、ＤＣ系の電源盤３０、ＡＣ系の電源盤４０およびＦＦＴＵ系の電源盤５０の取り替えについて説明したが、本実施形態ではこれに限らず、例えば、ＤＣ系の電源盤３０を撤去し、ＡＣ系の電源盤４０またはＦＦＴＵ系の電源盤５０に取り替える場合、ＡＣ系の電源盤４０を撤去し、ＤＣ系の電源盤３０またはＦＦＴＵ系の電源盤５０に取り替える場合、ＦＦＴＵ系の電源盤５０を撤去し、ＤＣ系の電源盤３０またはＡＣ系の電源盤４０に取り替える場合にも適用できる。これらの場合には、突片６５，６６の位置を変えて取り替え作業を行うこととなる。この際、突片６５，６６は、長穴６３ａ，６４ａを自由に移動することができるので、突片６５，６６のネジ６５ｂ，６６ｃを緩めた状態で移動させることができる。突片６５，６６がネジ止めされ、電源盤を実装することで、突片６５，６６の固定のネジ６５ｂ，６６ｃが隠れて誤って突片６５，６６が外されることが無く、安全である。また、仕様の異なった電源を実装する際、突片６５，６６を簡単にスライドさせてシェルフ側の設定を行うことができる。
【００３７】
図１３〜図１５は、本発明の第二実施形態を示す（請求項１，３，４，７に対応する）。
本実施形態に係る電源装置は、突片７０，７１がシェルフ６０の表面板６１にネジ止めされる点で、第一実施形態に係る電源装置とは相違する。
突片７０，７１は、突片６５，６６と同様の高さｈを有するブロック形状を為し、開口部６２内に開口部６２の壁面から垂直方向に下ろされる脚部７０ａ，７１ａと、高さ方向に貫通する穴７０ｂ，７１ｂとを有し、シェルフ６０の表面板６１に設けたＤＣ系の穴６９ｂ，６９ｄ、ＡＣ系の穴６９ａ，６９ｆ、ＦＦＴＵ系の穴６９ｃ，６９ｅにネジ７０ｃ，７１ｃを介して固定されるようになっている。
【００３８】
本実施形態においても、図１４に示すように、例えば、ＤＣ系の電源盤３０，３０を装着する場合には、ＤＣ系の穴６９ｂに突片７０をネジ７０ｃを介して固定するとともに、ＤＣ系の穴６９ｄに突片７１をネジ７１ｃを介して固定する。これによって、ＤＣ系用の第一位置決め部３０Ａおよび第二位置決め部３０Ｂに、突片７０，７１を配置したこととなる。
【００３９】
次に、図１５に示すように、２つのＤＣ系の電源盤３０，３０をシェルフ６０の開口部６２に装着することができる。ここでは、ＡＣ系の電源盤４０またはＦＦＴＵ系の電源盤５０を装着することができない。
なお、ここでは、２つのＤＣ系の電源盤３０，３０の取付について説明したが、２つのＡＣ系の電源盤４０またはＦＦＴＵ系の電源盤５０についても同様に操作できる。
【００４０】
本実施形態においても、第一実施形態と同様の作用効果を奏することができる。
図１６は、ＤＣ系の電源盤３０に設けた立ち上がり部３４，３８をブロック形状を為す突起３４ａ，３８ａにした例を示す。
図１７は、ＤＣ系の電源盤３０に設けた立ち上がり部３４，３８を曲げ加工により形成した突起３４ｂ，３８ｂにした例を示す。
【００４１】
なお、図１６，図１７では、ＤＣ系の電源盤３０について説明したが、ＡＣ系の電源盤４０の立ち上がり部４４，４８、ＦＦＴＵ系の電源盤５０の立ち上がり部５４，５８においても同様に変更することができる。また、曲げ加工の代わりに絞り加工によって形成しても良い。
図１８は、図１に示すＤＣ系の電源盤３０とこの電源盤３０の上部側３０２を延長して電源盤３０より大きくしたＤＣ系の電源盤３０１とを備えた電源装置を示す（請求項２に対応する）。
【００４２】
図１９は、図３に示すＡＣ系の電源盤４０とこの電源盤４０の上部側４０２を延長して電源盤４０より大きくしたＡＣ系の電源盤４０１とを備えた電源装置を示す（請求項２に対応する）。
図２０は、図５に示すＦＦＴＵ系の電源盤５０とこの電源盤５０の上部側５０２を延長して電源盤５０より大きくしたＦＦＴＵ系の電源盤５０１とを備えた電源装置を示す（請求項２に対応する）。
【００４３】
図１８〜図２０に示すように、２つの電源盤（３０，４０，５０）の一方の電源盤（３０１，４０１，５０１）の大きさが異なる場合においても、延長部分３０２，４０２，５０２を除いて基本構成を同じとするので、第一実施形態および第二実施形態と同様の作用効果を奏することができる。
なお、上記実施形態においては、ＤＣ系の電源盤、ＡＣ系の電源盤、ＦＦＴＵ系の電源盤について説明したが、本発明は、その他の電源盤においても同様に適用することが可能である。
【図面の簡単な説明】
【００４４】
【図１】（ａ）ＤＣ系の電源盤を用いた、本発明の第一実施形態に係る電源装置を示す正面図、（ｂ）ＤＣ系の電源盤を用いた、本発明の第一実施形態に係る電源装置を示す一部切り欠いた平面図である。
【図２】（ａ）図１の電源装置に用いたＤＣ系の電源盤の平面図、（ｂ）図１の電源装置に用いたＤＣ系の電源盤の正面図、（ｃ）図１の電源装置に用いたＤＣ系の電源盤の側面図である。
【図３】（ａ）ＡＣ系の電源盤を用いた、本発明の第一実施形態に係る電源装置を示す正面図、（ｂ）ＡＣ系の電源盤を用いた、本発明の第一実施形態に係る電源装置を示す一部切り欠いた平面図である。
【図４】（ａ）図３の電源装置に用いたＡＣ系の電源盤の平面図、（ｂ）図３の電源装置に用いたＡＣ系の電源盤の正面図、（ｃ）図３の電源装置に用いたＡＣ系の電源盤の側面図である。
【図５】（ａ）ＦＦＴＵ系の電源盤を用いた、本発明の第一実施形態に係る電源装置を示す正面図、（ｂ）ＦＦＴＵ系の電源盤を用いた、本発明の第一実施形態に係る電源装置を示す一部切り欠いた平面図である。
【図６】（ａ）図５の電源装置に用いたＦＦＴＵ系の電源盤の平面図、（ｂ）図５の電源装置に用いたＦＦＴＵ系の電源盤の正面図、（ｃ）図５の電源装置に用いたＦＦＴＵ系の電源盤の側面図である。
【図７】（ａ）ＤＣ系の電源盤を装着するためにＤＣ系の位置に突片を装着した、本発明の第一実施形態に係る電源装置を示す一部を切り欠いた平面図、（ｂ）ＤＣ系の電源盤を装着するためにＤＣ系の位置に突片を装着した、本発明の第一実施形態に係る電源装置を示す一部切り欠いた正面図、（ｃ）突片の側面図、（ｄ）突片の平面図である。
【図８】（ａ）ＤＣ系の電源盤を装着した、本発明の第一実施形態に係る電源装置を示す一部を切り欠いた平面図、（ｂ）ＤＣ系の電源盤を装着した、本発明の第一実施形態に係る電源装置を示す一部を切り欠いた正面図である。
【図９】ＡＣ系の電源盤を装着するためにＡＣ系の位置に突片を装着した、本発明の第一実施形態に係る電源装置を示す一部を切り欠いた正面図である。
【図１０】ＦＦＴＵ系の電源盤を装着するためにＦＦＴＵ系の位置に突片を装着した、本発明の第一実施形態に係る電源装置を示す一部を切り欠いた正面図である。
【図１１】本発明の第一実施形態に係る電源装置により誤挿入を防止する状態を示す平面図である。
【図１２】本発明の第一実施形態に係る電源装置により誤挿入を防止する状態を示す正面図である。
【図１３】（ａ）ブロック形状の突片を用いた、本発明の第二実施形態に係る電源装置を示す平面図、（ｂ）ＤＣ系の電源盤に対してブロック形状の突片を用いた、本発明の第二実施形態に係る電源装置を示す正面図、（ｃ）ＡＣ系の電源盤に対してブロック形状の突片を用いた、本発明の第二実施形態に係る電源装置を示す正面図、（ｄ）ＦＦＴＵ系の電源盤に対してブロック形状の突片を用いた、本発明の第二実施形態に係る電源装置を示す正面図である。
【図１４】（ａ）ＤＣ系の電源盤を装着するためにＤＣ系の位置にブロック形状の突片を装着した、本発明の第二実施形態に係る電源装置を示す一部を切り欠いた平面図、（ｂ）ＤＣ系の電源盤を装着するためにＤＣ系の位置にブロック形状突片を装着した、本発明の第二実施形態に係る電源装置を示す一部を切り欠いた正面図である。
【図１５】（ａ）ＤＣ系の電源盤を装着した、本発明の第二実施形態に係る電源装置を示す一部を切り欠いた平面図、（ｂ）ＤＣ系の電源盤を装着した、本発明の第二実施形態に係る電源装置を示す一部を切り欠いた正面図である。
【図１６】（ａ）立ち上がり部をブロック形状にしたＤＣ系の電源盤を示す平面図、（ｂ）立ち上がり部をブロック形状にしたＤＣ系の電源盤を示す正面図、（ｃ）立ち上がり部をブロック形状にしたＤＣ系の電源盤を示す側面図である。
【図１７】（ａ）立ち上がり部を曲げ加工したＤＣ系の電源盤を示す平面図、（ｂ）立ち上がり部を曲げ加工したＤＣ系の電源盤を示す正面図、（ｃ）立ち上がり部を曲げ加工したＤＣ系の電源盤を示す側面図である。
【図１８】（ａ）異なる大きさのＤＣ系の電源盤を用いた、本発明の実施形態に係る電源装置を示す平面図、（ｂ）異なる大きさのＤＣ系の電源盤を用いた、本発明の実施形態に係る電源装置を示す正面図である。
【図１９】（ａ）異なる大きさのＡＣ系の電源盤を用いた、本発明の実施形態に係る電源装置を示す平面図、（ｂ）異なる大きさのＡＣ系の電源盤を用いた、本発明の実施形態に係る電源装置を示す正面図である。
【図２０】（ａ）異なる大きさのＦＦＴＵ系の電源盤を用いた、本発明の実施形態に係る電源装置を示す平面図、（ｂ）異なる大きさのＦＦＴＵ系の電源盤を用いた、本発明の実施形態に係る電源装置を示す正面図である。
【図２１】（ａ）ＡＣ系の電源盤を用いた、従来の誤挿入ピン方式の電源装置を示す平面図、（ｂ）ＤＣ系の電源盤を用いた、従来の誤挿入ピン方式の電源装置を示す平面図である。
【図２２】（ａ）ＡＣ系の電源盤を用いた、従来のコネクタの位置を変える方式の電源装置を示す平面図、（ｂ）ＤＣ系の電源盤を用いた、従来のコネクタの位置を変える方式の電源装置を示す平面図である。
【符号の説明】
【００４５】
３０，３０１  ＤＣ系の電源盤
３０ｅ，３０ｆ  ネジ
３０Ａ，４０Ａ，５０Ａ  第一位置決め部
３０Ｂ，４０Ｂ，５０Ｂ  第二位置決め部
３１，４１，５１，６１  表面板
３２，４２，５２，６４  コネクタ
３３，３７，４３，４７，５３，５７，７０，７１  突片
３４，３８，４４，４８，５４，５８  立ち上がり片
３４ａ，３８ａ  突起
３５，３６，４５，４６，５５，５６  切り欠き部
４０，４０１  ＡＣ系の電源盤
５０，５０１  ＦＦＴＵ系の電源盤
６０  シェルフ
６２  開口部
６３，６４  側壁部
６３ａ，６４ａ  長穴
６５ａ，６５ａ  立ち上がり部
６５ｂ，６６ｂ  ネジ
６５ｃ，６６ｃ  穴
６７，６８  ネジ穴
６９ａ，６９ｆ  ＡＣ系の穴
６９ｂ，６９ｄ  ＤＣ系の穴
６９ｃ，６９ｅ  ＦＦＴＵ系の穴
７０ａ，７１ａ  脚部
７０ｂ，７１ｂ  穴
７０ｃ，７１ｃ  ネジ
【図１】
2006059909.tif 000003
【図２】
2006059909.tif 000004
【図３】
2006059909.tif 000005
【図４】
2006059909.tif 000006
【図５】
2006059909.tif 000007
【図６】
2006059909.tif 000008
【図７】
2006059909.tif 000009
【図８】
2006059909.tif 000010
【図９】
2006059909.tif 000011
【図１０】
2006059909.tif 000012
【図１１】
2006059909.tif 000013
【図１２】
2006059909.tif 000014
【図１３】
2006059909.tif 000015
【図１４】
2006059909.tif 000016
【図１５】
2006059909.tif 000017
【図１６】
2006059909.tif 000018
【図１７】
2006059909.tif 000019
【図１８】
2006059909.tif 000020
【図１９】
2006059909.tif 000021
【図２０】
2006059909.tif 000022
【図２１】
2006059909.tif 000023
【図２２】
2006059909.tif 000024